(57)【要約】【課題】  ルアー本体の外部に鉛以外の成分で構成された錘を取付可能にして利用者が錘の重量を変更し得るとともに、場合によっては釣り針をルアー本体に固定できることによって、リーリング時のルアーの姿勢を自在に調整できるように構成したルアーを提供する。【解決手段】  ルアー１は、ルアー本体１０の腹側に錘用フック２を設け、錘用フック２に着脱可能な外付け錘３を係止してなるものである。錘用フック２は、ルアー本体１０の前後方向中心線に沿って突出している。外付け錘３は、環状の係止部材にタングステンを主とする錘が装着されてなるものである。また、釣り針４が当接する位置において、ルアー本体１０の表面に板状部材７を突設させ、釣り針４の間隙に板状部材７を挿通可能にすることで、釣り針４をルアー本体１０に固定できる。【選択図】  図１
2008067639.tif 000002
【特許請求の範囲】
【請求項１】
ルアー本体の腹側に錘用フックを設け、この錘用フックに着脱可能な外付け錘を係止してなるルアーであって、上記錘用フックは、ルアー本体の前後方向中心線に沿って突出してなる錘用フックであり、上記外付け錘は、環状の係止部材にタングステンを主とする錘が装着されてなる外付け錘であることを特徴とするルアー。
【請求項２】
ルアー本体の適宜個所にダブルフック型の釣り針が方向自在に吊設されるとともに、該ルアー本体の腹側に錘用フックを設け、この錘用フックに着脱可能な外付け錘を係止してなるルアーであって、上記ルアー本体は、上記釣り針が当接する位置において該ルアー本体の表面に板状部材を突設させ、上記ダブルフックの間隙に該板状部材を挿通可能にしてなるルアー本体であり、上記錘用フックは、ルアー本体の前後方向中心線に沿って突出してなる錘用フックであり、上記外付け錘は、環状の係止部材にタングステンを主とする錘が装着されてなる外付け錘であることを特徴とするルアー。
【請求項３】
前記錘用フックは、線状部材を湾曲して構成され、前記ルアー本体から突出する部分が弧状に湾曲された弧状湾曲部と、この弧状湾曲部の弧状に対して外方に先端を突出させた案内部とを有し、この案内部がルアー本体の表面に近接させてなる錘用フックである請求項１または２記載のルアー。
【請求項４】
前記錘用フックの先端は、前記ルアー本体の頭部側に突出させてなる請求項３記載のルアー。
【発明の詳細な説明】
【技術分野】
【０００１】
本発明は、ルアーに関し、特に、ルアー本体の表面に装着される錘または釣り針の状態を調整できるように構成してなるルアーに関するものである。
【背景技術】
【０００２】
一般的なルアーは、ルアー本体の内部に錘が内蔵され、表面に設けられるフック用リングに釣り針が吊設されたものである（特許文献１参照）。この種のルアーは、キャスティング時における姿勢およびリーリング時における姿勢を安定させるために、内蔵した錘が移動できるように構成することが必要とされたものであり、基本的に、錘の重量については利用者が調整することを予想していなかった。また、釣り針に関しても、吊設すべき種類は多種多様であるものの、これらの釣り針がリーリング時のルアーの姿勢に対し影響を与えるものであることも予想されていなかった。
【特許文献１】特開平１１−１８７７８３号公報
【発明の開示】
【発明が解決しようとする課題】
【０００３】
しかしながら、ルアー本体に使用される錘の重量を変化させることにより、リーリング時のルアーの姿勢が変化することがあり、利用者において、これら錘を調整して水中におけるルアーに所望の深度と所望のアクションを与えたいという要請があった。そして、これを実現するための手段として利用者が工夫している方法としては、複数のフック用リングのうちの一つに鉛製の錘（いわゆるかみつぶし）を取り付けることがあった。しかし、この手法は、根掛かり等により鉛製の錘が外れて海底または湖底等に落下し、鉛害の原因となり得ることが予想されるものであった。また、鉛製の錘は、一度フック用リングに取り付けるとその取り外しに時間がかかり、錘の交換時間を省略したいという要請もあった。他方、釣り針に関しては、方向自在に吊設されているため、リーリング時に釣り針が水中で踊るようになることがあり、釣りの対象となる魚によって捕食されるまでの間は釣り針をルアー本体に一時的に固定したいという要請があった。
【０００４】
本発明は、上記諸点にかんがみてなされたものであって、その目的とするところは、ルアー本体の外部に鉛以外の成分で構成された錘を取付可能にして利用者が錘の重量を変更し得るとともに、場合によっては釣り針をルアー本体に固定できることによって、リーリング時のルアーの姿勢を自在に調整できるように構成したルアーを提供することである。
【課題を解決するための手段】
【０００５】
そこで、本発明は、ルアー本体の腹側に錘用フックを設け、この錘用フックに着脱可能な外付け錘を係止してなるルアーであって、上記錘用フックは、ルアー本体の前後方向中心線に沿って突出してなる錘用フックであり、上記外付け錘は、環状の係止部材にタングステンを主とする錘が装着されてなる外付け錘であることを特徴とするルアーを要旨とする。
【０００６】
上記構成によれば、変形可能な鉛製を使用することなく、ルアー本体の外部に錘を取り付けることが可能となる。そして、この錘の重量を異なるものに変更することにより、利用者が所望する重量バランスを可能にするのである。ここで、錘用フックは、ルアー本体の前後方向中心線に沿って突出させていることから、リーリング時において、錘の表面が水の抵抗を受ける場合であっても、左右に揺れることを防止してルアーの姿勢を安定させることができることとなるのである。
【０００７】
また、本発明は、ルアー本体の適宜個所にダブルフック型の釣り針が方向自在に吊設されるとともに、該ルアー本体の腹側に錘用フックを設け、この錘用フックに着脱可能な外付け錘を係止してなるルアーであって、上記ルアー本体は、上記釣り針が当接する位置において該ルアー本体の表面に板状部材を突設させ、上記ダブルフックの間隙に該板状部材を挿通可能にしてなるルアー本体であり、上記錘用フックは、ルアー本体の前後方向中心線に沿って突出してなる錘用フックであり、上記外付け錘は、環状の係止部材にタングステンを主とする錘が装着されてなる外付け錘であることを特徴とするルアーをも要旨としている。
【０００８】
上記構成によれば、錘が外部に装着された状態において、ルアーの姿勢が安定すること上述のとおりであるうえに、釣り針がルアー本体の表面に固定されるため、当該釣り針が、水中で自在に方向を変化させることもなく、全体として、リーリング時におけるルアーの姿勢を安定させることができるものである。
【０００９】
上記両発明において、錘用フックの構成について、線状部材を湾曲して構成され、前記ルアー本体から突出する部分が弧状に湾曲された弧状湾曲部と、この弧状湾曲部の弧状に対して外方に先端を突出させた案内部とを有し、この案内部がルアー本体の表面に近接させてなる構成とすることができる。
【００１０】
この場合、錘用フックの線状部材がルアー本体の前後方向中心線に沿って湾曲する構成であることから、この錘用フックに装着した錘の自由度は、ルアー本体の前後方向かつ弧状となるため、この弧状の中心から周方向に重量を作用させることとなり、当該錘の位置にかかわらず当該錘による荷重点を上記弧状の中心とすることができる。
【００１１】
また、上記において、前記錘用フックの先端は、前記ルアー本体の頭部側に突出させてなる構成とすることも可能である。この場合、錘が錘用フックから離脱するためには、錘がルアー本体の頭部側に大きく移動しなければならないこととなる。しかし、キャスティング時およびリーリング時にあっては、錘は常にルアー本体の腹側から後部側に向かって作用するため、錘が使用時に離脱する可能性を最小限とすることができる。すなわち、キャスティング時における飛行姿勢は、重量が大きい部分（錘が装着されている部分）を先頭に釣り糸を引っ張る格好となるため、釣り糸を連結するためのアイレットを有するルアー本体頭部よりも尾部側を前側にして飛行することとなり、錘は錘用フックの先端から遠ざかる状態となる。他方、キャスティング時における姿勢は、リーリングにより釣り糸を介してアイレットを先頭に移動することとなるが、錘に対する推進力は最後に伝達されるためルアー本体に引っ張られる格好となり、さらに水の抵抗を受けるなどによって、ルアー本体の尾部側に位置することとなるのである。
【発明の効果】
【００１２】
本発明によれば、第一に、錘をルアー本体の外部に着脱できるため、錘を装着または交換することが自在となり、利用者が所望する重量バランスに変更することが可能となる。また、錘の材質が鉛製に限定されることがないため、タングステンを主とする錘のように、高比重の錘によって小さな体積の錘を使用して十分な沈降力を得ることが可能となるとともに、水の抵抗力を軽減し、アクション感度も向上する。さらに、根掛かり等によって水中で錘が外れるなど、錘が海底等に沈下した場合であっても魚に対する鉛害を防止できる。加えて、錘用フックの先端がルアー本体の頭部側において突出する構成により、着脱が容易となる。
【００１３】
第二に、上記錘の装着により利用者が所望する重量バランスを得ることができるため、リーリング時のルアーの姿勢を利用者が所望するように調整できることとなる。これに加えて、釣り針をルアー本体に固定する構成によって、釣り針が水中で揺動することを回避できることから、リーリング時における水の抵抗を十分に考慮しつつ利用者がルアーの姿勢を調整することが可能となる。
【発明を実施するための最良の形態】
【００１４】
以下、本発明の実施の形態を図面に基づいて説明する。本実施形態は、図１に示すように、ルアー本体１０の頭部Ｈの近傍の頭側腹部１１に錘用フック２が設けられ、この錘用フック２には外付け錘３が装着できるように構成されている。また、ルアー本体１０の尾部Ｔの近傍１２における背部には、フック用リング１３を介して釣り針４が吊設されている。なお、本実施形態において使用される釣り針４は、後述するように、二つの針先を有するいわゆるダブルフック型の釣り針である（図３参照）。これらの釣り針の基部４１には環状の取付部４２が設けられ、上記フック用リング１３と環状取付部４２の環状部分が直交方向に連結されるため、釣り針４の基部４１は、自在な方向に向きを変更できるようになっている。また、ルアー本体１０の頭部Ｈには、所定面積を有する板状部材（いわゆるリップ）５が突設され、さらに、このリップ５の根元付近には、釣り糸Ｌを連結するためのアイレット６が設けられている。
【００１５】
ここで、外付け錘３の装着構造について詳述する。図１および図２（ａ）に示すように、錘用フック２は、弾性変形可能な（例えば金属製の）線状部材を湾曲して構成されており、その湾曲部分２１は弧状に形成されている。また、錘用フック２の先端は、上記湾曲部分２１の湾曲方向とは反対向きに折曲され、フック２の開口案内部２２が形成されている。そして、この開口案内部２２は、ルアー本体の表面から僅かな間隙Ｘを有するように構成されており、この間隙Ｘの幅寸法は外付け錘３に設けられる取付リング３１の肉厚寸法よりも狭く構成されている。
【００１６】
他方、外付け錘３は、図２（ａ）において図示されているように、円環状の取付リング３１が設けられるとともに、このリング３１の先端に錘体３２が装着されており、上記取付リング３１に錘用フック２を挿通させることにより外付け錘３がルアー本体１０に装着されるようになっている。従って、外付け錘３のリング３１の貫通孔部分３３に対して上記開口案内部２２を先頭にして錘用フック２を挿通させるときには、当該リング３１の一部をルアー本体１０の表面と開口案内部２２との隙間を通過させることによって、錘用フック２がリング３１の内部に挿通されることとなり、その装着を完了させることができるものである。しかしながら、上述のとおり、ルアー本体１０の表面と開口案内部２２との間隙Ｘの幅寸法が上記リング３１の肉厚寸法よりも狭くなっていることから、上記間隙Ｘにリング３１の一部を通過させる場合には、当該間隙Ｘが一時的に広げる必要がある。そこで、当該錘用フック２を弾性変形可能な（例えば金属製の）材料で構成することにより、当該間隙Ｘをリング３１が通過するときのみ、錘用フック２が弾性変形し、当該間隙Ｘの幅寸法を拡大させることができる。そして、通過後において再び錘用フック２が弾性変形の終了により復元することとなるため、間隙Ｘの幅寸法が再び縮小して、当該リング３１が錘用フック２から容易に離脱できないようになっている。
【００１７】
また、図２（ａ）および（ｂ）に示すように、上記錘用フック２を構成する線状部材は、その長手方向がルアー本体１０の尾部Ｔから頭部Ｈに向かって延出し、その開口案内部２２は、ルアー本体１０の頭部Ｈに向かって開口するように、その方向が調整されているとともに、その設置範囲は、常にルアー本体１０の左右方向の中央に沿った位置するように設けられている。そのため、錘用フック２に取り付けられた外付け錘３は、そのリング３１が錘用フック２の湾曲部分２１のいずれの部分に当接している場合においても、ルアー本体１０の左右方向中央に対して重量を付与することとなる。また、外付け錘３を錘用フック２に装着し、または取り外す際には、いずれの場合も錘用フック２の全体に対し、ルアー本体１０の頭部Ｈの側から操作することとなる。これは、外付け錘３が錘用フック２から容易に離脱しないための構成である。すなわち、キャスティング前におけるルアー１は、釣り糸Ｌによって吊り下げられる状態となるため、釣り糸Ｌが連結されるアイレット６を上にした状態となり、アイレット６はルアー本体１０の頭部Ｈに設けられる（一般的なルアーは頭部付近に設けられる）ため、釣り糸Ｌによって吊り下げられたルアー本体１０は、頭部Ｈを上に尾部を下にした状態となる。従って、上記のような吊下状態において外付け錘３が錘用フック２から離脱できないようになっているのである。また、キャスティング時においても、飛行するルアー本体１０は、重量部分を前向き、釣り糸Ｌが連結する部分（頭部Ｈ）を後ろ向きとした姿勢をとるため、本実施形態においても外付け錘３が飛行を先導することとなるが、このとき、釣り糸Ｌは上記飛行によって引っ張られるようにして、キャスティングポイントまで釣り糸Ｌを延長させることができるのであることから、アイレット６は進行方向に対して後方に位置することとなるのである。従って、この場合においても、外付け錘３は錘用フック２の開口案内部２２とは反対方向に慣性力を作用させることとなるから、これまた外付け錘３の離脱を防止している。
【００１８】
さらに、水中におけるルアー１は、リーリングによって、釣り糸Ｌがアイレット６を引っ張ることとなり、このとき、アイレット６を先頭にして釣り糸Ｌが引っ張る方向にルアー本体１０が移動することとなるが、外付け錘３は、ルアー１の全体が移動するとき、錘用フック２を介して最後に引っ張られることとなるため、リーリング時おいても外付け錘３は尾部Ｔの方向に移動することとなるため、当該外付け錘３の離脱が防止されるのである。
【００１９】
このように、外付け錘３が離脱し難い状態でルアー本体１０に装着されることにより、水中におけるルアー１の重量バランスを利用者が調整できることとなり、利用者の所望の姿勢を水中で実現させることが可能となる。なお、上記外付け錘３として使用する錘体３２がタングステンを主とする材質とすることにより、小型でありながら大重量に構成することが可能となり、水中における浮力を考慮しても十分な重量を得ることができるとともに、小型であるため、水中を移動する際にも水の抵抗力の作用が小さくなり、ルアー本体１０の外部に取り付けられていることによる影響を最小限なものとすることができる。さらに、根掛かり等により外付け錘３がルアー１から離脱し、または、釣り糸Ｌの切断等によりルアー１が釣り糸Ｌから離脱する場合であっても、鉛を使用していないことから鉛害を防止することができる。
【００２０】
次に、釣り針４の一時的固定について詳述する。本実施形態で使用する釣り針は、上述のとおりダブルフックと呼ばれるものであり、図３（ａ）に示すように、２つの針先を有しつつ基部４１は、２本の棒状部材が接近した構造となっている。このような基部の構造は、図示のように、２本の針先が鋭角方向に折曲する形態の場合も、１８０°の角度で反対向きに折曲する形態の場合も同様である。そこで、本実施形態では、図３（ｂ）に示すように、薄肉の突片７をルアー本体１０から突出するように設けておき（図１参照）、釣り針４の基部４１を構成する２本の棒状部材で上記突片７を挟むように、すなわち、突片７が２本の棒状部材の間隙に挿入させるように、当該釣り針４の位置を調整することにより、当該釣り針４は、突片７によって一時的に固定されることとなるのである。
【００２１】
そして、上記のような突片７は、適宜面積を有するものであるため、その表面がルアー本体１０の進行方向に対して有角的であるときには、その進行方向またはルアー本体１０の動きを左右させることとなって不都合である。すなわち、リップルアーにおけるリップの役割と同様の作用を与えることとなってしまうのである。そこで、本実施形態における突片７は、その表面を進行に対して平行に、つまり、ルアー本体１０の前後方向に対して角度を有しない状態で設置されているのである。
【００２２】
このように、突片７とダブルフック型の釣り針４とによって、当該釣り針４をルアー本体１０に一時的に固定することにより、リーリング時におけるルアー１の移動の際には、釣り針４がルアー本体１０の周辺をフラフラと揺動することを回避し、機敏なルアーアクションを実現し、釣りの対象魚による捕食があったときには、釣り針４は突片７から離脱可能となり、ルアー本体１０から離れようと暴れて向きを変化させる魚の動きにあわせて釣り針４が自在に向きを変化させ得ることができる。また、釣り針４が一時的固定されている場合も固定されていない場合も、突片７の表面は進行方向に対して角度を有していないため、リーリング時におけるルアー１の進行に影響を与えることがない。
【００２３】
次に、本実施形態の他の使用態様について説明する。図４は、錘３をルアー１から取り外し、釣り針４をルアー本体１０の腹部に吊説した状態を示している。このような使用形態は、錘３を外して軽量化することによって、海中又は湖中等の中層から浅層でルアー１を進行させる場合にとり得るものである。図示のとおり、ルアー本体１０の腹部には、予めフック取付用突片８が装着されており、このフック取付用突片８の取付孔８１にダブルフック型の釣り針４を構成する二つの針先のうち片方を挿入することにより、当該取付孔８１に環状の取付部４２を連結させることができるものである。上記フック取付用突片８は、適宜面積を有する板状に構成されているため、前述の突片７と同様に、その表面をルアー１の進行方向に対して平行となるように設けられている。従って、釣り針４が取り付けられていると否とにかかわらず、ルアー１の水中における進行に影響がないようになっている。また、フックの装着のためにリングを使用せず、このフック取付用突片８を使用することにより、釣り針４を装置しない状態（図１に示す状態）において、海底又は湖底等の付近をリーリングするとき、根掛かりの原因となる水草等に絡まることを防止できるのである。
【００２４】
このように、錘３の取り外しを可能にすることから、釣り針４をも取り外しができる構造とすることにより、ルアー１を所望の目的で使用することができるのである。
【００２５】
本発明の実施形態は上記のとおりであるが、本発明の趣旨を逸脱しない範囲において種々の態様をとることができる。たとえば、上記実施形態および図面において一個の錘用フック２を設けた構成としているが、この錘用フック２を場所を異ならせて複数設ける形態とすることができる。この場合においても線状部材である錘用フック２は、ルアー本体１０の前後方向中心線に沿った方向に延出させることが必要である。また、外付け錘３は、重量を変えた複数の種類を用意し、所望のアクションを実現させるために必要な重量を選択して使用できるようにすることが望ましい。
【図面の簡単な説明】
【００２６】
【図１】本発明の実施形態を示す説明図である。
【図２】（ａ）は錘用フックと外付け錘との関係を示す説明図であり、（ｂ）はＩＩＢ−ＩＩＢ断面図である。
【図３】（ａ）はダブルフック型の釣り針の平面図であり、（ｂ）は使用の態様を示す説明図である。
【図４】本発明の別の実施形態を示す説明図である。
【符号の説明】
【００２７】
１  ルアー
２  錘用フック
３  外付け錘
４  ダブルフック型の釣り針
５  リップ
６  アイレット
７  突片
８  フック取付用突片
１０  ルアー本体
１１  ルアー本体の頭部近傍
１２  ルアー本体の後端付近
１３  フック用リング
２１  錘用フックの湾曲部分
２２  案内開口部
３１  錘用リング
３２  錘体
３３  貫通孔部分
４１  釣り針基部
４２  環状取付部
８１  フック取付孔
Ｈ  ルアー本体頭部
Ｌ  釣り糸
Ｔ  ルアー本体尾部
Ｘ  間隙
【図１】
2008067639.tif 000003
【図２】
2008067639.tif 000004
【図３】
2008067639.tif 000005
【図４】
2008067639.tif 000006